(57)【特許請求の範囲】
【請求項１】
上側ガイドレール及び下側ガイドレールを有するフレームと、
ステッチによってシート材の端縁部分を止着する第１止着機構及びグルーによってシート材の端縁部分を止着する第２止着機構を前記上側ガイドレールに沿って左右方向に移動可能に並設してなる上側止着機構と、
ステッチによってシート材の端縁部分を止着する第１止着機構及びグルーによってシート材の端縁部分を止着する第２止着機構を前記下側ガイドレールに沿って左右方向に移動可能に並設してなり、前記上側止着機構に対して上下方向に相反する状態で設けられた下側止着機構と、
前記第１止着機構を上下移動させる第１昇降機構と、
前記第１昇降機構の端部に設けられ、ステッチをシート材に打ち込む針打ち機構と、
針が打ち込まれる開口部に前記針打ち機構が重なるように取り付けられ、側面が互いに他方向に開放されている上受け溝と下受け溝とが形成されたＳ字状の第１シートガイドと、
前記第２止着機構を上下移動させる第２昇降機構と、
前記第２昇降機構の端部に設けられ、グルーを塗布する塗布機構と、
グルーが塗布される開口部に、前記塗布機構が重なるように取り付けられ、側面が互いに他方向に開放されている上受け溝と下受け溝とが形成されたＳ字状の第２シートガイドと、
前記フレームの内部左右に設けられ、一側を折曲して２片のシート部分を重合させてなるシート材の折曲部分を挟持して走行させるガイド機構と、
を設けて構成し、
上側または下側において、前記上受け溝には左右の一方側に位置するシート材の端縁部分を通過させ、
前記下受け溝には左右の他方側に位置するシート材の端縁部分を通過させて、シート材の２枚を、折曲部分が外側でそれぞれの開放端縁が重合するように組み合わせ、
前記上側止着機構の第１止着機構と前記下側止着機構の第１止着機構とが作動している第１の状態では、前記上側止着機構の第２止着機構と前記下側止着機構の第２止着機構とが綴止位置から外れた第２の状態にあり、
前記上側止着機構の第２止着機構と前記下側止着機構の第２止着機構とが作動している第１の状態では、前記上側止着機構の第１止着機構と前記下側止着機構の第１止着機構とが綴止位置から外れた第２の状態にあることを特徴とする紙箱の綴止装置。
【発明の詳細な説明】
【０００１】
【発明の属する技術分野】
本発明は、グルー若しくはステッチによる厚紙、段ボールなどの紙箱の綴止装置に関するものである。
【０００２】
【従来の技術】
電化製品や家具などの大形物品用の包装用紙箱は、段ボール紙若しくは強靱な厚紙製で、図７、図８で示すように、一側を折曲して２片のシート部ａを重合させてなるシート材ｓの２枚を、折曲部分ｂが外側で、開放端縁部分ｃが重合するように組み合わせ、開放端縁部分ｃの重合部分ｄをステッチやグルーで止着して、四角筒状の紙箱ｈを組み立てている。従来では、綴り止め用として、ステッチ専用装置、グルー専用装置をそれぞれ有し、包装用紙箱の要望に応じて使い分けている。即ち、ステッチでは内部に収納する商品の表面が傷付くことがあるので、グルーを使用して綴り止めしているし、表面の傷に関係のない商品を包装する場合、高速で強固に固定できるステッチを使用している。
【０００３】
【発明が解決しようとする課題】
したがって、製函工場においてはグルーによる製函装置、及びステッチによる製函装置をそれぞれ個別に設置し、用途やユーザーからの要望により何れかの製函装置を使用してるのが現状である。このため、工場においては２種類の装置を設置する費用とスペースが必要で、しかも一方の装置が稼働しないのできわめて効率が悪い。このような従来からの課題において、本発明はグルーによる製函、ステッチによる製函を選択的に使用することにより、従来からの無駄を全て解消するようにしたことを目的とする。
【０００４】
【課題を解決するための手段】
前記目的を達成させるため、本願の請求項１に記載された発明は、上側ガイドレール及び下側ガイドレールを有するフレームと、ステッチによってシート材の端縁部分を止着する第１止着機構及びグルーによってシート材の端縁部分を止着する第２止着機構を前記上側ガイドレールに沿って左右方向に移動可能に並設してなる上側止着機構と、ステッチによってシート材の端縁部分を止着する第１止着機構及びグルーによってシート材の端縁部分を止着する第２止着機構を前記下側ガイドレールに沿って左右方向に移動可能に並設してなり、前記上側止着機構に対して上下方向に相反する状態で設けられた下側止着機構と、前記第１止着機構を上下移動させる第１昇降機構と、前記第１昇降機構の端部に設けられ、ステッチをシート材に打ち込む針打ち機構と、針が打ち込まれる開口部に前記針打ち機構が重なるように取り付けられ、側面が互いに他方向に開放されている上受け溝と下受け溝とが形成されたＳ字状の第１シートガイドと、前記第２止着機構を上下移動させる第２昇降機構と、前記第２昇降機構の端部に設けられ、グルーを塗布する塗布機構と、グルーが塗布される開口部に、前記塗布機構が重なるように取り付けられ、側面が互いに他方向に開放されている上受け溝と下受け溝とが形成されたＳ字状の第２シートガイドと、前記フレームの内部左右に設けられ、一側を折曲して２片のシート部分を重合させてなるシート材の折曲部分を挟持して走行させるガイド機構と、を設けて構成し、上側または下側において、前記上受け溝には左右の一方側に位置するシート材の端縁部分を通過させ、前記下受け溝には左右の他方側に位置するシート材の端縁部分を通過させて、シート材の２枚を、折曲部分が外側でそれぞれの開放端縁が重合するように組み合わせ、前記上側止着機構の第１止着機構と前記下側止着機構の第１止着機構とが作動している第１の状態では、前記上側止着機構の第２止着機構と前記下側止着機構の第２止着機構とが綴止位置から外れた第２の状態にあり、前記上側止着機構の第２止着機構と前記下側止着機構の第２止着機構とが作動している第１の状態では、前記上側止着機構の第１止着機構と前記下側止着機構の第１止着機構とが綴止位置から外れた第２の状態にあることを特徴とする紙箱の綴止装置を提供することにある。
【０００５】
【発明の実施の形態】
以下に本発明を図面に示す実施の態様に基づいて説明する。図１は本発明の実施の形態におけるステッチによる第１止着機構によってシート材を止着している状態の正面図、図２はグルーによる第２止着機構によってシート材を止着している状態の正面図、図３は上から見た平面図、図４は上側止着機構の第１止着機構における要部の斜視図、図５は図４における縦断面図、図６は上側止着機構の第２止着機構における要部の斜視図、図７は綴り止められたシート材の斜視図、図８は組み立てられた紙器の斜視図である。
【０００６】
本発明の紙箱の綴止装置１は、上側ガイドレール２及び下側ガイドレール３を有するフレーム４に、上側止着機構５及び下側止着機構６を、前記上側ガイドレール２及び下側ガイドレール３に沿って左右方向に移動可能に設け、前記フレーム４の内部の左右には、前記上側止着機構５及び下側止着機構６よりさらに外側に位置するようにして、シート材ｓの折曲部分ｂを挟持して走行させるガイド機構７を左右方向に移動可能に設けた構成である。
【０００７】
前記上側止着機構５及び下側止着機構６は、上下方向に相反する状態で設けてあるだけであって、具体的構成は同一であるから以下に上側止着機構５に基づいて説明する。
【０００８】
上側止着機構５は、ステッチによってシート材ｓの端縁部分ｃを止着する上側第１止着機構５１と、グルーによってシート材ｓの端縁部分ｃを止着する上側第２止着機構５２とを並設して構成されている。
【０００９】
前記上側第１止着機構５１は、前記上側ガイドレール２に沿って移動する上側台枠５３に設けられている縦方向の上側第１基台５１１の表面に、エアーシリンダー、オイルシリンダー、電動式カム機構、電動式ラック機構などからなって上下移動する上側第１昇降機構５１２を設け、前記上側第１昇降機構５１２の下端部に、ステッチをシート材に打ち込む上側針打ち機構５１３と、Ｓ字状の上側第１シートガイド５１４とを設けた構成である。
【００１０】
前記上側第１シートガイド５１４には、側面が開放する上側第１上受け溝５１５と上側第１下受け溝５１６と形成し、上側第１上受け溝５１５と上側第１下受け溝５１６との開放部を左右に異ならせてある。
【００１１】
図４、図５は上側第１シートガイド５１４の要部を示すもので、上側第１上受け溝５１５には右側に位置するシート材ｓの端縁部分ｃを通過させ、上側第１下受け溝５１６には左側に位置するシート材ｓの端縁部分ｃを通過させる。そして、上側第１シートガイド５１４のシート材通過方向の後方には開口部（図示せず）を形成してあり、前記開口部に上側針打ち機構５１３が位置して、上側のシート材の端縁部分と下側のシート材の端縁部分が重合する位置にステッチを打ち込んで止着する。
【００１２】
前記グルーの上側第２止着機構５２は、前記上側第１止着機構５１とほとんど同一の構成であり、上側ガイドレール２に沿って移動する上側台枠５３に設けられている縦方向の上側第２基台５２１の表面に、エアーシリンダー、オイルシリンダー、電動式カム機構、電動式ラック機構などからなって上下移動する上側第２昇降機構５２２を設け、前記上側第２昇降機構５２２の下端部に、グルーを塗布する上側塗布機構５２３と、Ｓ字状の上側第２シートガイド５２４とを設けた構成である。
【００１３】
また前記上側第２シートガイド５２４には、側面が開放する上側第２上受け溝５２５と上側第２下受け溝５２６と形成し、上側第２上受け溝５２５と上側第２下受け溝５２６との開放部を左右に異ならせてある。
【００１４】
図６は前記上側第２シートガイド５２４の要部を示すもので、上側第２上受け溝５２５には右側に位置するシート材ｓの端縁部分ｃを通過させ、上側第２下受け溝５２６には左側に位置するシート材ｓの端縁部分ｃを通過させる。そして、上側第２シートガイド５２４のシート材通過方向の後方には開口部（図示せず）を形成してあり、前記開口部に上側塗布機構５２３が位置して、上側のシート材の端縁部分と下側のシート材の端縁部分が重合する位置にグルーを塗布して止着する。
【００１５】
前記下側止着機構６は、ステッチによってシート材ｓの端縁部分ｃを止着する下側第１止着機構６１と、グルーによってシート材ｓの端縁部分ｃを止着する下側第２止着機構６２とを並設して構成されている。そして、下側第１止着機構６１は前記上側第１止着機構５１と上下が逆に設置されているだけであって同一の構成で、また下側第２止着機構６２は前記上側第２止着機構５２と上下が逆に設置されているだけであって同一の構成であるから、符号の先頭数字を５から６に変更して具体的構成の説明を省略する。
【００１６】
フレーム４の内部左右に設けた前記ガイド機構７は、前述のように左右のシート材ｓの折曲部分ｂを挟持して走行させるもので、強制移動する短尺なベルトコンベア７１、７２を上下に対向するようにして設けた構成である。
【００１７】
本発明の紙箱の綴止装置１は前記した構成で、フレーム４の一側に各止着機構を駆動したり走行させるための駆動源、各昇降機構などを駆動制御するための操作制御ボックス８を設けてある。
【００１８】
前記した紙箱の綴止装置１によって、一側を折曲して２片のシート部ａを重合させてなるシート材ｓの２枚を、折曲部分ｂが外側で、開放端縁部分ｃが重合するように組み合わせた素材（以下単に素材という）の上下の重合部分ｄを止着するには、あらかじめ、素材の横幅と左右のガイド機構７、７の間隔幅とを一致させる。また、素材の上側にある重合部分ｄと上側止着機構５、下側にある重合部分ｄと下側止着機構６との位置を一致させ、また前記重合部分ｄをステッチで止着するのであれば、図１で示すように上側第１止着機構５１及び下側第１止着機構６１を綴止位置である第１の状態に設定し、上側第２止着機構５２を素材より上側に、下側第２止着機構６２を素材より下側に位置させて綴止位置から外れた第２状態に設定する。これらの設定は、各昇降機構によって電気的に制御させることで、容易に行うことができる。
【００１９】
前記のようにして各止着機構の位置を制御したら、素材の左右側縁の折曲部分ｂをガイド機構７で挟持させ、また各シート材の開放端縁部分をそれぞれシートガイドの上受け溝、下受け溝に挿着し、走行させながら上側針打ち機構５１３及び下側針打ち機構６１３を駆動させ、走行する素材の上下の重合部分ｄに綴針を打ち込む。
【００２０】
したがって、重合部分ｄには連続的に綴針が打ち込まれて一体となり、各シート材ｓのシート部ａにより上下端が開放する四角筒状の紙箱を成形することができる。
【００２１】
そして、各シート材の重合部分をグルーで止着する場合、上側第１昇降機構５１２及び下側第１昇降機構６１２を上下に作動させて上側第１シートガイド５１４と下側第１シートガイド６１４をシート材の重合位置から離れる第２状態に設定するとともに、上側第２昇降機構５２２及び下側第２昇降機構６２２を作動させて上側第２シートガイド５２４及び下側第２シートガイド６２４を作動させてシート材の重合位置に設定し、素材の左右側縁の折曲部分ｂをガイド機構７で挟持させ、また各シート材の開放端縁部分をそれぞれシートガイドの上受け溝、下受け溝に挿着し、走行させながら上側塗布機構５２３及び下側塗布機構６２３を駆動させ、走行する素材の上下の重合部分ｄにグルーを塗布する。
【００２２】
したがって、重合部分ｄには連続的にグルーが塗布されるので一体的になり、各シート材ｓのシート部ａにより上下端が開放する四角筒状の紙箱を成形することができる。
【００２３】
以上本発明を図面に示す実施の形態に基づいて説明したが、本発明は前記実施の形態に限定されるものではなく、特許請求の範囲に記載されている構成の範囲内において自由に変更して実施することができる。
【００２４】
【発明の効果】
以上要するに、本発明によれば、上側ガイドレール及び下側ガイドレールを有するフレームと、ステッチによってシート材の端縁部分を止着する第１止着機構及びグルーによってシート材の端縁部分を止着する第２止着機構を前記上側ガイドレールに沿って左右方向に移動可能に並設してなる上側止着機構と、ステッチによってシート材の端縁部分を止着する第１止着機構及びグルーによってシート材の端縁部分を止着する第２止着機構を前記下側ガイドレールに沿って左右方向に移動可能に並設してなり、前記上側止着機構に対して上下方向に相反する状態で設けられた下側止着機構と、前記第１止着機構を上下移動させる第１昇降機構と、前記第１昇降機構の端部に設けられ、ステッチをシート材に打ち込む針打ち機構と、針が打ち込まれる開口部に前記針打ち機構が重なるように取り付けられ、側面が互いに他方向に開放されている上受け溝と下受け溝とが形成されたＳ字状の第１シートガイドと、前記第２止着機構を上下移動させる第２昇降機構と、前記第２昇降機構の端部に設けられ、グルーを塗布する塗布機構と、グルーが塗布される開口部に、前記塗布機構が重なるように取り付けられ、側面が互いに他方向に開放されている上受け溝と下受け溝とが形成されたＳ字状の第２シートガイドと、前記フレームの内部左右に設けられ、一側を折曲して２片のシート部分を重合させてなるシート材の折曲部分を挟持して走行させるガイド機構と、を設けて構成し、上側または下側において、前記上受け溝には左右の一方側に位置するシート材の端縁部分を通過させ、前記下受け溝には左右の他方側に位置するシート材の端縁部分を通過させて、シート材の２枚を、折曲部分が外側でそれぞれの開放端縁が重合するように組み合わせ、前記上側止着機構の第１止着機構と前記下側止着機構の第１止着機構とが作動している第１の状態では、前記上側止着機構の第２止着機構と前記下側止着機構の第２止着機構とが綴止位置から外れた第２の状態にあり、前記上側止着機構の第２止着機構と前記下側止着機構の第２止着機構とが作動している第１の状態では、前記上側止着機構の第１止着機構と前記下側止着機構の第１止着機構とが綴止位置から外れた第２の状態にあることを特徴とする。
【００２５】
したがって、１台の紙箱の綴止装置によってステッチとグルーとを簡単に使い分けることができ、使用目的やニーズに対応できる紙箱を成形することができる。また、ステッチ用の紙箱の綴止装置、グルー用の紙箱の綴止装置を個別に設置する必要がないので、設置スペース、コストなどの無駄を確実に解消することができ、実用的価値の高いものとなる。
【図面の簡単な説明】
【図１】  本発明の実施の形態におけるステッチによる第１止着機構によってシート材を止着している状態の正面図である。
【図２】  グルーによる第２止着機構によってシート材を止着している状態の正面図である。
【図３】  上から見た平面図である。
【図４】  上側止着機構の第１止着機構における要部の斜視図である。
【図５】  図４における一部の縦断面図である。
【図６】  上側止着機構の第２止着機構における要部の斜視図である。
【図７】  綴り止められたシート材の斜視図である。
【図８】  組み立てられた紙器の斜視図である。
【符号の説明】
１  紙箱の綴止装置
２  上側ガイドレール
３  下側ガイドレール
４  フレーム
５  上側止着機構
５１  上側第１止着機構
５１１  上側第１基台
５１２  上側第１昇降機構
５１３  上側針打ち機構
５１４  上側第１シートガイド
５１５  上側第１上受け溝
５１６  上側第１下受け溝
５２  上側第２止着機構
５２１  上側第２基台
５２２  上側第２昇降機構
５２３  上側塗布機構
５２４  上側第２シートガイド
５２５  上側第２上受け溝
５２６  上側第２下受け溝
５３  上側台枠
６  下側止着機構
６１  下側第１止着機構
６２  下側第２止着機構
７  ガイド機構
７１  ベルトコンベア
７２  ベルトコンベア
８  操作制御ボックス
ａ  シート部
ｂ  折曲部分
ｃ  開放端縁部分
ｄ  重合部分
ｈ  紙箱
ｓ  シート材
【図１】
0003847622.tif 000002
【図２】
0003847622.tif 000003
【図３】
0003847622.tif 000004
【図４】
0003847622.tif 000005
【図５】
0003847622.tif 000006
【図６】
0003847622.tif 000007
【図７】
0003847622.tif 000008
【図８】
0003847622.tif 000009